(57)【要約】【課題】床下空間の基面に凹凸がある場合でも空調装置の下面側の断熱性能を確保することが可能な空調装置の断熱設置構造を提供する。【解決手段】建物の床下空間に設置される熱交換部２１を有する床下空調機２の断熱設置構造である。  そして、床下空調機の上面を覆う上部断熱材（５１Ｂ，５１Ｆ）と、床下空調機の側面を覆う側部断熱材（５１Ａ，５１Ｃ，５１Ｄ，５１Ｅ，５１Ｇ）と、床下空調機の下面の少なくとも外縁を囲繞させる弾性性能及び断熱性能を有する弾性断熱材５２Ａ，５２Ｂとを備えている。さらに、床下空調機の下面と床下空間の基面との隙間が、弾性断熱材によって閉塞される。【選択図】図１
2015114035.tif 000002
【特許請求の範囲】
【請求項１】
建物の床の下方空間に設置される熱交換部を有する空調装置の断熱設置構造であって、
前記空調装置の上面を覆う上部断熱材と、
前記空調装置の側面を覆う側部断熱材と、
前記空調装置の下面の少なくとも外縁を囲繞させる弾性性能及び断熱性能を有する弾性断熱材とを備え、
前記空調装置の下面と前記下方空間の基面との隙間が、前記弾性断熱材によって閉塞されることを特徴とする空調装置の断熱設置構造。
【請求項２】
前記下面の全面が前記弾性断熱材によって覆われることを特徴とする請求項１に記載の空調装置の断熱設置構造。
【請求項３】
前記弾性断熱材は、発泡ゴム材によって成形されることを特徴とする請求項１又は２に記載の空調装置の断熱設置構造。
【発明の詳細な説明】
【技術分野】
【０００１】
本発明は、床の下方空間に設置される空調装置の断熱設置構造に関するものである。
【背景技術】
【０００２】
空調装置の室内機の内部で熱交換が行われると、周囲との温度差によって結露が発生することがあるため、熱交換器周辺を断熱材で覆うことが知られている（特許文献１−４参照）。
【０００３】
特許文献１には、熱交換器が収容可能となる形に発泡スチロールを成型した断熱ブロック部材が開示されている。また、特許文献２に開示されている発泡スチロール製の断熱材は、振動の伝播を抑えるために分割して配置される。
【０００４】
さらに、特許文献３には、室内機のケーシングに対する断熱材の固定方法が開示されている。また、特許文献４には、室内機の本体ケース内で発泡断熱材を発泡させた断熱構造が開示されている。そして、特許文献５には、空調ダクトの断熱構造が開示されている。
【０００５】
一方、建物の床下空間に空調装置の室内機を設置して、建物全体を冷房したり暖房したりする空調システムが知られている（特許文献６，７）。この空調システムは、建物の外部に設置された室外機と、床下空間に設置された室内機と、床下空間に配管されて室内機に接続されるダクトと、ダクトの端部に床上空間に向けて設けられる排気口及び給気口とを備えている。そして、床上の例えば居室の空気が排気口から流れ込み、室内機で冷房又は暖房として調整された後に、ダクトを通って給気口から居室に冷気又は暖気が供給されることになる。
【先行技術文献】
【特許文献】
【０００６】
【特許文献１】特開平９−１６６３３５号公報
【特許文献２】特開２０１３−２１３６３４号公報
【特許文献３】特開平１１−６６３５号公報
【特許文献４】特開２０１３−１７４４２４号公報
【特許文献５】特開２０００−１７１０８５号公報
【特許文献６】特開２０１０−２４３１４２号公報
【特許文献７】特開２０１１−９９６７４号公報
【発明の概要】
【発明が解決しようとする課題】
【０００７】
ところで布基礎を基礎とする住宅のように１階の床下空間に地面が露出している場合は、地面に凹凸があるため発泡スチロール板が断熱材として下面に貼られた空調装置を水平に置くことは難しい。また、断熱材の厚みによっては床下空間に空調装置を配置できなくなるおそれがある。
【０００８】
そこで、本発明は、床下空間の基面に凹凸がある場合でも空調装置の下面側の断熱性能を確保することが可能な空調装置の断熱設置構造を提供することを目的としている。
【課題を解決するための手段】
【０００９】
前記目的を達成するために、本発明の空調装置の断熱設置構造は、建物の床の下方空間に設置される熱交換部を有する空調装置の断熱設置構造であって、前記空調装置の上面を覆う上部断熱材と、前記空調装置の側面を覆う側部断熱材と、前記空調装置の下面の少なくとも外縁を囲繞させる弾性性能及び断熱性能を有する弾性断熱材とを備え、前記空調装置の下面と前記下方空間の基面との隙間が、前記弾性断熱材によって閉塞されることを特徴とする。
【００１０】
ここで、前記下面の全面が前記弾性断熱材によって覆われる構成とすることができる。また、前記弾性断熱材は、発泡ゴム材によって成形することができる。
【発明の効果】
【００１１】
このように構成された本発明の空調装置の断熱設置構造は、空調装置の上面及び側面が断熱材によって覆われている。そして、空調装置の下面と下方空間の基面との隙間は、弾性断熱材によって閉塞される。
【００１２】
このため、床下空間に地面が露出して凹凸があるような場合であっても、弾性断熱材であれば凹凸に合わせて変形して対応するので、空調装置の下面側の断熱性能を確保することができる。
【００１３】
また、空調装置の下面の全面を弾性断熱材で覆うことで、下面側の結露の発生を確実に抑えることができる。さらに、弾性断熱材が発泡ゴム材によって成形されていれば、柔軟な素材のため小さな凹凸にも追従して変形させて、基面側に密着させることができる。
【図面の簡単な説明】
【００１４】
【図１】本発明の実施の形態の床下空調機の断熱設置構造の構成を説明する斜視図である。
【図２】床下空間に設置される床下空調機が組み込まれた空調システムの全体構成を示した説明図である。
【図３】床下空調機の構成を説明する平面図である。
【図４】床下空調機の断熱設置構造の構成を説明する側面図である。
【図５】図４の右端部分を拡大して説明する側面図である。
【図６】床下空調機の断熱設置構造の構成を説明する正面図である。
【図７】図６の右端部分を拡大して説明する正面図である。
【図８】分割された床下空調機を床下空間に搬入する工程を示した説明図である。
【図９】分割された床下空調機を床下空間で組み立てる工程を示した説明図である。
【図１０】床下空間で床下空調機に支持枠部を取り付ける工程を示した説明図である。
【図１１】床下空調機の上面に断熱材を取り付ける工程を示した説明図である。
【図１２】実施例の床下空調機の構成を説明する底面図である。
【発明を実施するための形態】
【００１５】
以下、本発明の実施の形態について図面を参照して説明する。図１は、本実施の形態の空調装置としての床下空調機２の断熱設置構造の構成を説明する図である。そして、図２は、この床下空調機２が組み込まれる空調システム全体の概略構成を示した説明図である。
【００１６】
以下では、既設の住宅(建物)を改修して新たに空調システムを導入する場合について説明する。住宅としては、複数の建物ユニット１，・・・（図４参照）を上下左右に連結して構成されるユニット建物１０を例にして説明する。
【００１７】
建物ユニット１は、鋼製の柱と梁とを接合させた直方体状の骨組みを備えている。柱と梁とを溶接によって剛接合させるとラーメン構造体の骨組みとなる。そして床１１は、図４，８に示すように、建物ユニット１の骨組みとして略平行に配置される床梁１２，１２と、床梁１２，１２間に間隔を置いて略平行に架け渡される複数の床小梁１３，・・・とによって支持されている。ここでは図８に示すように、床小梁１３，・・・の上に略直交する方向に向けて複数の床根太１４，・・・を略平行に配置するが、省略することもできる。
【００１８】
この床１１には、図２に示すように開口部１１ａを設けて、そこから床１１の下方空間である床下空間１ａに空調システムに必要な機材を搬入する。このユニット建物１０の基礎は、布基礎１５となっており、メンテナンス用の基礎開口１５ａが建築当初から設けられている。
【００１９】
そして、床下空間１ａに設置される床下空調機２と布基礎１５の外側に設置される室外機２３とを繋ぐ冷媒管２３ａ，２３ａは、基礎開口１５ａを通して配管される。また、床下空調機２から延びる排水用のドレン管２４も、基礎開口１５ａを通って屋外に引き出される。
【００２０】
また、床下空調機２の駆動源となる電力は、既設の分電盤２７から電源線２７ａを介して供給される。さらに、床下空調機２の設定温度や運転モードを制御するリモコン２８の接続も行われる。
【００２１】
一方、床１１には、室内の空気を取り込むための吸込みグリル２５ａ，２５ａが開口される。この吸込みグリル２５ａ，２５ａから流れ込んだ空気は、断熱ダクト２５，２５を通って床下空調機２に送られる。また、床下空調機２の内部で所定の温度又は湿度に調整された空気は、断熱ダクト２６を通って吹出しグリル２６ａ，２６ａから室内に供給される。
【００２２】
図３に、床下空調機２を上から見た平面図を示した。この床下空調機２は、ヒートポンプ式の空調システムの室内機であって、空気の熱交換を行わせる熱交換部２１と、熱交換によって調整された空気を排出させる送風部２２とを備えている。
【００２３】
熱交換部２１及び送風部２２は、直方体状の外観をしている。熱交換部２１は、内外を連通させる複数の吸込み口２１ｂ，・・・と、内部に収容される熱交換器２１ａとを備えている。また、熱交換部２１の一側には、床下空調機２を制御する基盤部２１ｃが設けられる。
【００２４】
この熱交換器２１ａは、冷媒管２３ａ，２３ａによって室外機２３と接続されている。この冷媒管２３ａ，２３ａ内を流れる熱媒体は、室外機２３において外気との熱交換を行うことによって、冷房時には冷やされ、暖房時には暖められる。
【００２５】
そして、熱交換器２１ａに流れ込んだ熱媒体は、吸込み口２１ｂ，・・・から熱交換部２１の内部に流れ込んだ空気と熱交換を行う。すなわち、冷房時には空気が冷やされ、暖房時には空気が暖められる。また、熱交換の際に熱交換部２１で生成された水（内部結露）は、ドレン管２４によって外部に排水される。
【００２６】
一方、送風部２２は、複数のファン２２ａ，・・・と、内外を連通させる複数の吹出し口２２ｂ，・・・とを備えている。このファン２２ａは、熱交換部２１において冷房時には冷やされ、暖房時には暖められた空気を、室内に向けて送り出すためのシロッコファンなどの送風機である。この送風部２２では、一つの吹出し口２２ｂに対して一台のファン２２ａがそれぞれ接続されている。
【００２７】
このように構成された床下空調機２の内部には温度調整後の空気が充満されるため、床下空間１ａの空気との温度差によっては結露（外部結露）が発生することになる。また、床下空調機２から冷熱又は温熱が床下空間１ａに放出されてしまうと、運転効率が低下することになる。
【００２８】
そこで図１に示すように、床下空調機２の外周を断熱材５１Ａ−５１Ｇで覆うことで、（外部）結露の発生及び放熱を防ぐ。この断熱材５１Ａ−５１Ｇには、発泡スチロール板、グラスウール、発泡ゴム材などが使用できる。以下では、断熱材５１Ａ−５１Ｇとしてスチレンボードを使用する場合について説明する。
【００２９】
また、床下空調機２の上面を覆う断熱材５１Ｂ，５１Ｆが上部断熱材となり、床下空調機２の側面を覆う断熱材５１Ａ，５１Ｃ，５１Ｄ，５１Ｅ，５１Ｇが側部断熱材となる。
【００３０】
ここで、断熱材５１Ｃは、床下空調機２の側面の一つである送風部２２側の正面を覆う側部断熱材である。この断熱材５１Ｃには、吹出し口２２ｂ，２２ｂ，２２ｂを通すための円形の切欠きが設けられる。
【００３１】
一方、床下空調機２の下面は、弾性性能及び断熱性能を有する弾性断熱材５２Ａ，５２Ｂによって覆われる。詳細には、弾性断熱材５２Ａは熱交換部２１の下面の形状に合わせた長方形に成形され、弾性断熱材５２Ｂは送風部２２の下面の形状に合わせた長方形に成形される。この２つの弾性断熱材５２Ａ，５２Ｂによって、床下空調機２の下面の全面が覆われる。
【００３２】
弾性断熱材５２Ａ，５２Ｂは、例えば発泡ゴム材によって形成される。発泡ゴム材には、多数の気泡が内包された合成ゴムが使用できる。例えば、エチレン−プロピレン−ジエンゴム（ＥＰＤＭ）の混和物を半独立半連続状態で発泡させたエプトシーラー(登録商標：日東電工株式会社)が使用できる。エプトシーラーは、柔軟な素材であるうえに、圧縮時の応力が小さく床下空調機２の下面を変形させることがない。
【００３３】
このように床下空調機２の下面を弾性断熱材５２Ａ，５２Ｂで覆うことで、下面の（外部）結露の発生及び放熱を防ぐことができる。また、床下空間１ａの基面（地面）に凹凸がある場合でも、弾性断熱材５２Ａ，５２Ｂが変形することで、凹凸を吸収させることができる。さらに、床下空間１ａの高さが充分に確保できない場合でも、弾性断熱材５２Ａ，５２Ｂを圧縮させることで、床下空調機２の収容が可能になる。
【００３４】
また、吸込みグリル２５ａから取り込まれた空気及び床下空調機２によって温度調整された空気による結露の発生及び放熱を防ぐために、吸込みグリル２５ａと吸込み口２１ｂとの間には断熱ダクト２５を配管し、吹出し口２２ｂと吹出しグリル２６ａとの間には断熱ダクト２６を配管する。断熱ダクト２５，２６には、外周がグラスウールなどの断熱材で被覆されたダクト管が使用できる。
【００３５】
続いて床１１に対して行われる補強について説明する。図８に示すように、既設の床１１を切断して開口部１１ａを設けるに際して、その下方の床小梁１３Ａ及び床根太１４Ａ，１４Ａも切断することになる。ここで床小梁１３Ａの切断面を、切断端部１３１，１３１とする。
【００３６】
開口部１１ａは、床下空調機２等を床下空間１ａに設置した後に、図５−７に示すように蓋部１１ｂで塞ぐ。開口部１１ａの内周縁には、蓋受木桟１１ｄを取り付け、その上に蓋部１１ｂを載せる。さらに、蓋部１１ｂと床１１との境界には、床見切１１ｃを配置する。
【００３７】
そして、開口部１１ａを挟んで対向する床小梁１３，１３間には、図１１に示すように、一対の縦補強梁３１，３１が略平行に架け渡される。床小梁１３に略直交させた縦補強梁３１は、両端の端接合部３１ａ，３１ａを介して床小梁１３，１３の側面にそれぞれ接合される。
【００３８】
また、縦補強梁３１，３１の間隔は、長方形の開口部１１ａの短辺の長さと略同じにする。このような縦補強梁３１は、図４，５に示すように断面視略コ字状の溝形鋼（Ｃ形鋼）によって形成される。
【００３９】
そして、図４，１１に示すように、縦補強梁３１，３１間に一対の横補強梁３２，３２が略平行に架け渡される。縦補強梁３１に略直交させた横補強梁３２は、図６，７，１１に示すように、両端の端片部３２ａ，３２ａを介して縦補強梁３１，３１の側面にそれぞれ接合される。この接合は、ドリルネジ３３などによって行われる。
【００４０】
このような横補強梁３２は、断面視略コ字状の溝形鋼（Ｃ形鋼）によって形成される。また、長方形の鋼板を、端片部３２ａとして横補強梁３２の端部に溶接などによって一体化させる。このようにして縦補強梁３１，３１と横補強梁３２，３２とによる梯子状（井桁状）の枠体３が形成される。
【００４１】
横補強梁３２，３２の間隔は、長方形の開口部１１ａの長辺の長さと略同じにする。この横補強梁３２，３２に支持枠部４が吊り下げられる。支持枠部４は床下空調機２の両側に設けられるため、横補強梁３２，３２の間隔は床下空調機２の幅に合わせて設定される。要するに、床下空調機２の幅に合わせて開口部１１ａの幅も設定される。
【００４２】
支持枠部４は、図１０に示すように、床下空調機２を下から受ける一対の受金具４１Ａ，４１Ｂと、それぞれの受金具４１Ａ，４１Ｂから垂直上方に延びる複数の吊金具（４２Ａ，４３Ａ，４２Ｂ，４３Ｂ）とによって主に構成される。
【００４３】
上述したように床下空調機２には、基盤部２１ｃがある側面とない側面とがある。図１０の右側の受金具４１Ａ及び吊金具（４２Ａ，４３Ａ）によって構成される第１側枠４ａが基盤部２１ｃのある側面側に取り付けられ、受金具４１Ｂ及び吊金具（４２Ｂ，４３Ｂ）よって構成される第２側枠４ｂが反対側の側面に取り付けられる。
【００４４】
受金具４１Ａ，４１Ｂは、断面視略Ｌ字状のＬ形鋼によって形成される。また、基盤部２１ｃ側の受金具４１Ａには、一方の端部に張出部４４１が形成される。
【００４５】
一方吊金具（４２Ａ，４２Ｂ，４３Ａ，４３Ｂ）には、受金具４１Ａ，４１Ｂの長手方向中央付近に取り付けられる中吊金具４２Ａ，４２Ｂと、端部に取り付けられる端吊金具４３Ａ，４３Ｂとがある。後述するように中吊金具４２Ａ（４２Ｂ）と端吊金具４３Ａ（４３Ｂ）との間隔は、横補強梁３２の長さ内に収まる範囲で設定される。
【００４６】
中吊金具４２Ａ，４２Ｂは、柱状に立てられる断面視略Ｌ字形の本体部４２１と、上端に形成される上面板４２２とを有している。また、基盤部２１ｃ側の中吊金具４２Ａの下面は、底面板４４２によって塞がれている。
【００４７】
この底面板４４２にボルト４５を通してナット４５ａを締め付けることによって、受金具４１Ａに中吊金具４２Ａを固定する。これに対して中吊金具４２Ｂは、本体部４２１に通されたボルト４５によって受金具４１Ｂに固定される。
【００４８】
端吊金具４３Ａ，４３Ｂは、柱状に立てられる断面視略Ｌ字形の本体部４３１と、上端に形成される上面板４３２とを有している。また、基盤部２１ｃ側の端吊金具４３Ａの下面は、底面板４４３によって塞がれている。
【００４９】
この底面板４４３にボルト４５を通してナット４５ａを締め付けることによって、受金具４１Ａに端吊金具４３Ａを固定する。これに対して端吊金具４３Ｂは、本体部４３１に通されたボルト４５によって受金具４１Ｂに固定される。ここで、地面に対峙させるボルト４５，・・・の下面には、防湿フィルム（図示省略）が貼り付けられる。
【００５０】
支持枠部４は、図１０に示すように床下空調機２の両側に第１側枠４ａと第２側枠４ｂとがそれぞれ取り付けられる。床下空調機２の下面側の四隅には、固定金具２１ｆ，２１ｆ，２２ｃ，２２ｃがそれぞれ取り付けられている（図３参照）。
【００５１】
これらの固定金具２１ｆ，２１ｆ，２２ｃ，２２ｃと受金具４１Ａ，４１Ｂの両端とにボルト４５，・・・を通して、ナット４５ａ，・・・を締め付けることによって床下空調機２に第１側枠４ａと第２側枠４ｂを固定する。
【００５２】
一方、吊金具（４２Ａ，４２Ｂ，４３Ａ，４３Ｂ）の上端は、図５，７，１１に示すように枠体３を構成する横補強梁３２，３２に固定される。詳細には横補強梁３２の下フランジに上方から通された吊ボルト４６の先端を、端吊金具４３Ｂの上面板４３２の穴に通す。また、吊ボルト４６の先端には、ナット４６ａが装着される。
【００５３】
さらに、横補強梁３２の下フランジと上面板４２２との間には、床下空調機２の水平を調整するために必要な枚数の高さ調整プレート（図示省略）が装着される。この高さ調整プレートは、平面視略Ｕ字状に形成されていて、吊ボルト４６に側方から嵌めることができる。そして、ナット４６ａを締めると、中吊金具４２Ｂが持ち上げられるので、所定の高さで水平に床下空調機２を吊り下げることができるようになる。
【００５４】
また、図１１に示すように、床下空調機２の側面と枠体３を構成する横補強梁３２との間には、下方に突出する振止め金具３４を介在させる。この振止め金具３４は、Ｌ金具によって形成される。この振止め金具３４の上面を、ボルト３４ａとナットを使って横補強梁３２の下フランジに固定する。
【００５５】
次に、本実施の形態の床下空調機２の断熱設置構造の構築方法について、図面を参照しながら説明する。まず、図２に示すように、ユニット建物１０の居室又は非居室の床１１の適切な箇所を、長方形に切断して開口部１１ａを設ける。この開口部１１ａは、後述するように熱交換部２１と送風部２２とをそれぞれ床上から床下空間１ａに搬入できる大きさにする。
【００５６】
また、開口部１１ａに露出する床小梁１３Ａ及び床根太１４Ａ，１４Ａは、図８に示すように切断して、切り離された部材は撤去する。さらに、床下空間１ａの地面には、必要に応じて防湿フィルムをソイルカバー１６として敷設しておく。
【００５７】
また、後述する工程と前後又は並行して、床１１に設けた開口部１１ａや基礎開口１５ａなどを利用することによって、図２に示した室外機２３の設置、冷媒管２３ａ，２３ａ及びドレン管２４の配管、吸込みグリル２５ａ及び吹出しグリル２６ａの設置、断熱ダクト２５，２６の配管、分電盤２７に繋がる電源線２７ａの配線、リモコン２８の取り付けなどを行う。
【００５８】
そして、図８に示すように床下空調機２を熱交換部２１と送風部２２とに分割して、それぞれの下面には弾性断熱材５２Ａ，５２Ｂを貼り付ける。また、開口部１１ａからの搬入や組み立ての障害にならない断熱材５１Ａ，５１Ｃ，５１Ｇは、予め貼り付けておく。すなわち、熱交換部２１の側面には断熱材５１Ｇを貼り付け、送風部２２の側面には断熱材５１Ａ，５１Ａ，５１Ｃを貼り付ける。
【００５９】
続いて、開口部１１ａから床下空間１ａに、下面がソイルカバー１６，１６で覆われた熱交換部２１と送風部２２とをそれぞれ搬入する。床下空間１ａに搬入された熱交換部２１と送風部２２は、図９に示すように蝶番金具２１ｄとネジ２１ｅ，・・・とによって開閉自在になるように組み立てられる。
【００６０】
一方、床上では、支持枠部４の組み立てを行う。第１側枠４ａは、受金具４１Ａと中吊金具４２Ａと端吊金具４３Ａとボルト４５，・・・とナット４５ａ，・・・を使って組み立てる。また、第２側枠４ｂは、受金具４１Ｂと中吊金具４２Ｂと端吊金具４３Ｂとボルト４５，・・・とナット４５ａ，・・・を使って組み立てる。ここで、受金具４１Ａ，４１Ｂの下面側に露出したボルト４５の頭部は、防湿フィルム（ソイルカバー１６）で覆う。
【００６１】
このようにして床上で組み立てられた第１側枠４ａと第２側枠４ｂは、開口部１１ａから床下空間１ａに運ばれる。そして、図１０に示すように床下空調機２の基盤部２１ｃ側の側面には第１側枠４ａを取り付け、反対側には第２側枠４ｂを取り付ける。
【００６２】
第１側枠４ａ及び第２側枠４ｂは、受金具４１Ａ，４１Ｂのそれぞれの両端を床下空調機２の固定金具２１ｆ，２２ｃの位置に合わせ、ボルト４５とナット４５ａを使うことで固定される。
【００６３】
また、熱交換部２１と送風部２２の境界や固定金具２２ｃの周辺などの予め貼り付けておくことができなかった箇所に、接着剤５３を塗布した断熱材５１Ｄ，５１Ｅを貼り付ける。
【００６４】
続いて開口部１１ａの周囲に枠体３を組み立てる。まず、図１１に示すように床小梁１３，１３間に縦補強梁３１，３１を架け渡す。縦補強梁３１の両端の端接合部３１ａ，３１ａは、床小梁１３，１３の側面にそれぞれ接合させる。また、縦補強梁３１の外側の側面には、切断された床小梁１３Ａの切断端部１３１を接触させ、中間接合部３１ｂによって接合させる。
【００６５】
一方、縦補強梁３１，３１の内側面間には、横補強梁３２，３２をそれぞれ架け渡す。すなわち横補強梁３２の端片部３２ａを縦補強梁３１のウェブに接触させ、ドリルネジ３３，３３をねじ込んで接合を行う。また、切断された床根太１４Ａ，１４Ａの端部は、横補強梁３２に沿って取り付けられた根太受部（図示省略）の上面に載せる。
【００６６】
このようにして床小梁１３，１３間に固定された枠体３に、支持枠部４を吊り下げる。手順としてはまず、中吊金具４２Ａ，４２Ｂ及び端吊金具４３Ａ，４３Ｂと横補強梁３２とを吊ボルト４６及びナット４６ａで繋ぐ。
【００６７】
そして、床下空調機２の上面を水平にするために必要な枚数の高さ調整プレートを、横補強梁３２の下フランジと吊金具（４２Ａ，４２Ｂ，４３Ａ，４３Ｂ）の上面板４２２，４３２との間に嵌める。この状態でナット４６ａを締め付けると、支持枠部４とそれに固定された床下空調機２とが一緒に持ち上がり、枠体３に吊り下げられた状態になる。
【００６８】
このようにして床下空調機２は枠体３に吊り下げられるが、図５，７に示すように弾性断熱材５２Ａ，５２Ｂが地面に敷設されたソイルカバー１６の上面と接触している。すなわち元の厚さよりも圧縮された状態の弾性断熱材５２Ａ，５２Ｂによって、床下空調機２の下面とソイルカバー１６の上面との隙間が閉塞されたことになる。
【００６９】
さらに、図１１に示すように、床下空調機２と断熱材５１Ａとの間に振止め金具３４の下向きの突出片を挿し込み、横補強梁３２にボルト３４ａとナットで固定する。この振止め金具３４は、床下空調機２の左右両側に取り付ける。
【００７０】
続いて断熱材５１Ｂ，５１Ｆを床下空調機２の上面に配置する。ここで、熱交換部２１の上面と床１１との間に挿し込む断熱材５１Ｆ，５１Ｆの下面には、接着剤５３を塗布して床下空調機２に接合させる。
【００７１】
これに対して開口部１１ａの蓋部１１ｂの下に配置される送風部２２側の断熱材５１Ｂ，５１Ｂには、接着剤５３を塗布せずに取り外しが自在にできるようにしておく。こうしておくことで、空調システムの使用開始後のメンテナンスを開口部１１ａから行うことができるようになる。
【００７２】
次に、本実施の形態の床下空調機２の断熱設置構造の作用について説明する。
【００７３】
このように構成された本実施の形態の床下空調機２の断熱設置構造は、床下空調機２の上面及び側面が断熱材５１Ａ−５１Ｇによって覆われている。そして、床下空調機２の下面と床下空間１ａの基面（ソイルカバー１６上面）との隙間は、弾性断熱材５２Ａ，５２Ｂによって閉塞される。
【００７４】
このため、床下空間１ａに地面が露出して凹凸があるような場合であっても、弾性断熱材５２Ａ，５２Ｂであれば凹凸に合わせて変形して対応するので、床下空調機２の下面側の断熱性能を確保することができる。
【００７５】
すなわち、凹凸のある地面が露出する床下空間１ａに空調装置を設置する場合に、空調装置の下面側に圧縮率及び変形追従性の少ない硬い発泡スチロール板を断熱材として配置すると、凹凸がそのまま空調装置に伝わって水平に設置するのが難しくなる。また、発泡スチロールに厚みがある場合、空調装置の上下に断熱材を配置するスペースが確保できないこともある。そのような場合は、地面を掘削するか、又は下面側の断熱材を省略しなければならなくなる。
【００７６】
これに対して本実施の形態の床下空調機２の断熱設置構造であれば、床下空調機２の下面に配置される弾性断熱材５２Ａ，５２Ｂが発泡ゴム材という柔軟な素材で成形されているため、小さな凹凸にも追従して変形させて、基面（ソイルカバー１６上面）に密着させることができる。
【００７７】
また、床下空間１ａの高さが低い場合でも、弾性断熱材５２Ａ，５２Ｂが大きく圧縮されることで簡単に収容可能となるため、床下空調機２の下面側の断熱性能を確保することができる。特に、床下空調機２の下面の全面を弾性断熱材５２Ａ，５２Ｂで覆うことで、下面における結露の発生を確実に抑えることができる。
【実施例】
【００７８】
以下、前記した実施の形態とは別の形態の実施例について、図１２を参照しながら説明する。なお、前記実施の形態で説明した内容と同一乃至均等な部分の説明については、同一用語又は同一符号を付して説明する。
【００７９】
図１２は、この実施例で説明する空調装置としての床下空調機２Ａを下面側から見た底面図である。前記実施の形態では、床下空調機２の下面の全面を弾性断熱材５２Ａ，５２Ｂで覆う場合について説明した。これに対して本実施例では、床下空調機２Ａの下面２０１の外縁を囲繞させる弾性断熱材としての外周断熱材６について説明する。
【００８０】
床下空調機２Ａの下面２０１は、熱交換部２１の長方形の下面２１１と、送風部２２の長方形の下面２２１とを組み合わせた形状となる。そして、それぞれの下面２１１，２２１に対して、弾性断熱材６１，６２が貼り付けられる。
【００８１】
弾性断熱材６１，６２は、下面２１１，２２１の外縁を囲繞する長方形に形成される。弾性断熱材６１，６２の詳細については、前記実施の形態で説明した弾性断熱材５２Ａ，５２Ｂと同じであるため説明を省略する。
【００８２】
図１２に示すように、それぞれの下面２１１，２２１に弾性断熱材６１，６２が貼り付けられると、弾性断熱材６１，６２が連続して床下空調機２Ａの下面２０１の外縁を囲繞する外周断熱材６となる。
【００８３】
このように床下空調機２Ａの下面２０１の外縁が外周断熱材６で囲繞されていれば、下面２０１側と床下空間１ａとの間の熱や空気の移動が抑えられて下面２０１における（外部）結露の発生及び放熱を防ぐことができる。このため、断熱材の使用量を抑えて、材料費を削減することができる。
【００８４】
なお、他の構成及び作用効果については、前記実施の形態と略同様であるので説明を省略する。
【００８５】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００８６】
例えば、前記実施の形態では、既設の住宅であるユニット建物１０を改修する場合について説明したが、これに限定されるものではなく、住宅を新築する場合にも本発明を適用できる。また、本発明の適用可能な建物は、上述したユニット建物１０に限定されるものではない。
【００８７】
さらに、前記実施の形態及び実施例では、室内機に分類される床下空調機２，２Ａを空調装置として説明したが、これに限定されるものではなく、室内機と室外機とが一体になった構造の空調装置であっても、本発明を適用することができる。
【００８８】
また、前記実施の形態では、床下空調機２を支持枠部４によって吊り下げる構造について説明したが、これに限定されるものではなく、床下空調機２を基面（地面やソイルカバー１６上面など）に直接、置くこともできる。
【符号の説明】
【００８９】
１０          ユニット建物（建物）
１ａ          床下空間（床の下方空間）
１１          床
１６          ソイルカバー（基面）
２，２Ａ      床下空調機（空調装置）
２０１        下面
２１          熱交換部
５１Ｂ，５１Ｆ  断熱材（上部断熱材）
５１Ａ，５１Ｃ，５１Ｄ，５１Ｅ，５１Ｇ  断熱材（側部断熱材）
５２Ａ，５２Ｂ  弾性断熱材
６            外周断熱材（弾性断熱材）
６１，６２    弾性断熱材
【図１】
2015114035.tif 000003
【図２】
2015114035.tif 000004
【図３】
2015114035.tif 000005
【図４】
2015114035.tif 000006
【図５】
2015114035.tif 000007
【図６】
2015114035.tif 000008
【図７】
2015114035.tif 000009
【図８】
2015114035.tif 000010
【図９】
2015114035.tif 000011
【図１０】
2015114035.tif 000012
【図１１】
2015114035.tif 000013
【図１２】
2015114035.tif 000014